(57)【要約】【課題】高速道路上の休憩施設の店舗等の利用を促進し、その売上額を増加させることができるシステムを提供する。【解決手段】予約端末１０１は、磁気式のポイントカードにより利用者の休憩施設内での利用額を把握し、その金額が一定額以上となった場合、洗車機管理サーバ１０２に自動洗車機１０３の予約依頼を行う。洗車機管理サーバ１０２では予約を受け付けると予約コードを発行して予約端末１０１に送信する。予約端末１０１では、この予約コードが記録されたＩＣラベルを発行する。このＩＣラベルは、利用者により洗車しようとする自動車のフロントガラスに貼り付けてもらう。自動洗車機１０３の登録情報照会端末２０では、洗車を行うとする利用車輌１０に貼り付けされた識別ラベルに格納されている予約コードを読み取り、読み取った予約コードを洗車機管理サーバ１０２に照会し、利用許可する旨の通知を受信すると洗車を開始する。【選択図】図１
2006155502.tif 000002
【特許請求の範囲】
【請求項１】
洗車を行うとする利用車輌に保持された記録媒体に格納されている予約コードを読み取り、読み取った該予約コードの照会を行い、利用を許可する旨の情報を受信すると、この情報と共に送られてきた洗車コースに応じた洗車工程で洗車が実行されるような制御を行う登録情報照会端末を有し、高速道路上の休憩施設内に設置された自動洗車機と、
利用者が休憩施設内で一定額以上の利用をしたと判定した場合、前記自動洗車機の予約状況を照会し、送信されてきた予約情報を利用者に示すとともに、当該利用者の利用額に応じた洗車コースの予約を受け付けると受け付けた予約の依頼を行い、該予約依頼に対して発行された予約コードを受信すると、受信した予約コードが格納された記録媒体を発行する予約端末と、
前記自動洗車機の予約管理を行っていて、前記予約端末から予約状況の照会を受けると前記自動洗車機の現在の予約情報を返信し、前記予約端末からの予約依頼を受信すると、現在の予約状況を参照して依頼された予約を受け付けるか否かを判定し、予約を受け付ける場合、受け付けた予約に対応する予約コードを発行して前記予約端末に送信し、前記自動洗車機の登録情報照会端末からの予約コードの照会を受け付けると、照会を受けた予約コードが正規に予約を受け付けたものであるか否かを確認した後、該予約コードにより予約された洗車コース、予約時間の情報とともに前記登録情報照会端末に対して利用許可を送信する洗車機管理サーバと、
を備えている自動洗車機管理システム。
【請求項２】
予約コードを格納するための前記記録媒体が、洗車を行うとする利用車輌に貼り付けられたＩＣラベルである請求項１記載の自動洗車機管理システム。
【請求項３】
予約コードを格納するための前記記録媒体が、無線端末である請求項１記載の自動洗車機管理システム。
【請求項４】
予約コードを格納するための前記記録媒体が、赤外線を送信可能な機器である請求項１記載の自動洗車機管理システム。
【請求項５】
洗車を行うとする利用者により予約コードが入力されると、入力された該予約コードの照会を行い、利用を許可する旨の情報を受信すると、この情報と共に送られてきた洗車コースに応じた洗車工程で洗車が実行されるような制御を行う登録情報照会端末を有し、高速道路上の休憩施設内に設置された自動洗車機と、
利用者が休憩施設内で一定額以上の利用をしたと判定した場合、前記自動洗車機の予約状況を照会し、送信されてきた予約情報を利用者に示すとともに、当該利用者の利用額に応じた洗車コースの予約を受け付けると受け付けた予約の依頼を行い、該予約依頼に対して発行された予約コードを受信すると、受信した予約コードを暗証番号として発行する予約端末と、
前記自動洗車機の予約管理を行っていて、前記予約端末から予約状況の照会を受けると前記自動洗車機の現在の予約情報を返信し、前記予約端末からの予約依頼を受信すると、現在の予約状況を参照して依頼された予約を受け付けるか否かを判定し、予約を受け付ける場合、受け付けた予約に対応する予約コードを発行して前記予約端末に送信し、前記自動洗車機の登録情報照会端末からの予約コードの照会を受け付けると、照会を受けた予約コードが正規に予約を受け付けたものであるか否かを確認した後、該予約コードにより予約された洗車コース、予約時間の情報とともに前記登録情報照会端末に対して利用許可を送信する洗車機管理サーバと、
を備えている自動洗車機管理システム。
【請求項６】
前記予約端末および前記自動洗車機が複数の休憩施設内にそれぞれ設置され、ある休憩施設内に設置された予約端末から他の休憩施設内に設置された自動洗車機の予約を行うことが可能な請求項１から５のいずれか１項記載の自動洗車機管理システム。
【請求項７】
前記予約端末は、磁気式のカードに記録されたデータを読み取ることにより、利用者が休憩施設内で利用した金額を把握する請求項１から６のいずれか１項記載の自動洗車機管理システム。
【発明の詳細な説明】
【技術分野】
【０００１】
本発明は、高速道路上のサービスエリア、パーキングエリア等の休憩施設に設置された自動洗車機を管理するための自動洗車機管理システムに関する。
【背景技術】
【０００２】
高速道路の上に設置されているサービスエリア、パーキングエリア等の休憩施設では従来から食堂、売店、ガソリンスタンド等の様々な施設が設けられている。近年、このような高速道路上の休憩施設の発展はめざましく、仮眠所や温泉等の入浴施設、または薬局、コインランドリー等の各種の施設が設けられるようになっている。そのため、このような休憩施設に設けられた店舗での売上額も大きなものになってきている。そして、日本道路公団が民営化されることに伴い、このような高速道路上の休憩施設における売上額を増加させることが要求されるようになっている。
【発明の開示】
【発明が解決しようとする課題】
【０００３】
上述したように従来では、高速道路上の休憩施設の店舗等における売上額の増加を促進させるような有効なシステムは存在しなかった。
【０００４】
本発明の目的は、高速道路上の休憩施設の店舗等の利用を促進し、その売上額を増加させることができるシステムを提供することである。
【課題を解決するための手段】
【０００５】
上記目的を達成するために、本発明は、高速道路上の休憩施設内に設置された店舗等における売上額を向上させるため、休憩施設内の店舗等で一定額以上の代金を支払った利用者に対して、休憩施設内に設置された自動洗車機を無料で使用することができるようにするための自動洗車機管理システムを提案する。
【０００６】
本発明の自動洗車機管理システムは、洗車を行うとする利用車輌に保持された記録媒体に格納されている予約コードを読み取り、読み取った該予約コードの照会を行い、利用を許可する旨の情報を受信すると、この情報と共に送られてきた洗車コースに応じた洗車工程で洗車が実行されるような制御を行う登録情報照会端末を有し、高速道路上の休憩施設内に設置された自動洗車機と、
利用者が休憩施設内で一定額以上の利用をしたと判定した場合、前記自動洗車機の予約状況を照会し、送信されてきた予約情報を利用者に示すとともに、当該利用者の利用額に応じた洗車コースの予約を受け付けると受け付けた予約の依頼を行い、該予約依頼に対して発行された予約コードを受信すると、受信した予約コードが格納された記録媒体を発行する予約端末と、
前記自動洗車機の予約管理を行っていて、前記予約端末から予約状況の照会を受けると前記自動洗車機の現在の予約情報を返信し、前記予約端末からの予約依頼を受信すると、現在の予約状況を参照して依頼された予約を受け付けるか否かを判定し、予約を受け付ける場合、受け付けた予約に対応する予約コードを発行して前記予約端末に送信し、前記自動洗車機の登録情報照会端末からの予約コードの照会を受け付けると、照会を受けた予約コードが正規に予約を受け付けたものであるか否かを確認した後、該予約コードにより予約された洗車コース、予約時間の情報とともに前記登録情報照会端末に対して利用許可を送信する洗車機管理サーバとを備えている。
【０００７】
本発明によれば、高速道路上の休憩施設内での利用額に応じて無料で自動洗車機を使用することを可能としているので、自動洗車機を利用しようと希望する利用者は、利用金額が自動洗車機の利用が無料となる一定金額以上となるように各店舗での買い物、施設利用を行おうとするため、休憩施設内の店舗等の売上額が増加する。
【０００８】
また、予約コードを格納するための前記記録媒体として、洗車を行うとする利用車輌に貼り付けられたＩＣラベル、無線端末、赤外線を送信可能な機器を用いるようにしてもよい。
【０００９】
また、本発明の他の自動洗車機管理システムは、洗車を行うとする利用者により予約コードが入力されると、入力された該予約コードの照会を行い、利用を許可する旨の情報を受信すると、この情報と共に送られてきた洗車コースに応じた洗車工程で洗車が実行されるような制御を行う登録情報照会端末を有し、高速道路上の休憩施設内に設置された自動洗車機と、
利用者が休憩施設内で一定額以上の利用をしたと判定した場合、前記自動洗車機の予約状況を照会し、送信されてきた予約情報を利用者に示すとともに、当該利用者の利用額に応じた洗車コースの予約を受け付けると受け付けた予約の依頼を行い、該予約依頼に対して発行された予約コードを受信すると、受信した予約コードを暗証番号として発行する予約端末と、
前記自動洗車機の予約管理を行っていて、前記予約端末から予約状況の照会を受けると前記自動洗車機の現在の予約情報を返信し、前記予約端末からの予約依頼を受信すると、現在の予約状況を参照して依頼された予約を受け付けるか否かを判定し、予約を受け付ける場合、受け付けた予約に対応する予約コードを発行して前記予約端末に送信し、前記自動洗車機の登録情報照会端末からの予約コードの照会を受け付けると、照会を受けた予約コードが正規に予約を受け付けたものであるか否かを確認した後、該予約コードにより予約された洗車コース、予約時間の情報とともに前記登録情報照会端末に対して利用許可を送信する洗車機管理サーバとを備えている。
【００１０】
本発明によれば、利用者は発行された予約コードを暗証番号として記憶または記録しておく必要があるが、予約コードを格納しておくための記録媒体を使用することなく自動洗車機の使用が可能となり、洗車後に識別ラベルをはがしたり、無線機器を返却する等の手間を省くことが可能となる。
【００１１】
さらに、本発明の他の自動洗車機管理システムでは、前記予約端末および前記自動洗車機が複数の休憩施設内にそれぞれ設置し、ある休憩施設内に設置された予約端末から他の休憩施設内に設置された自動洗車機の予約を行うことを可能とするようにしてもよい。
【００１２】
本発明によれば、１つの休憩施設に設置された予約端末により全国の休憩施設内の自動洗車機の予約が可能となるため、ある休憩施設では希望時間の予約ができないような場合でも、次に停車予定の休憩施設内に設置された自動洗車機の予約をしておくことが可能となり、次に停車した休憩施設に到着した後に少ない待ち時間で自動洗車機を利用することが可能となる。
【００１３】
さらに、前記予約端末は、磁気式のカードに記録されたデータを読み取ることにより、利用者が休憩施設内で利用した金額を把握するようにしてもよい。
【発明の効果】
【００１４】
以上説明したように、本発明によれば、高速道路上の休憩施設内での利用額に応じて無料で自動洗車機を使用することができるようにすることにより、休憩施設内の店舗等の売上額を増加させることできるという効果を得ることができる。
【発明を実施するための最良の形態】
【００１５】
次に、本発明の実施の形態について図面を参照して詳細に説明する。
【００１６】
（第１の実施形態）
図１は本発明の第１の実施形態の自動洗車機管理システムの構成を示すブロック図である。
【００１７】
本実施形態の自動洗車機管理システムは、図１に示されるように、高速道路上に設置されたサービスエリア、パーキングエリア等の休憩施設内に設けられた予約端末１０１と、この予約端末１０１が設けられた休憩施設内に設置された自動洗車機１０３と、洗車機管理サーバ１０２とから構成されている。予約端末１０１、自動洗車機１０３は、それぞれ洗車機管理サーバ１０２に接続されている。なお、洗車機管理サーバ１０２は、予約端末１０１、自動洗車機１０３が設置された休憩施設内に設置されている必要はなく他の場所に設置されていてもよい。また、予約端末１０１、自動洗車機１０３との間は、ＬＡＮケーブル等の専用線により接続されていてもよいし、インターネット回線、公衆電話回線等により接続されていてもよい。
【００１８】
予約端末１０１は、単独に専用の端末を設けるようにしてもよいし、例えば、休憩施設内にある渋滞表示用のコンピュータ端末等の情報表示端末を使用するようにしてもよい。このような情報表示端末は、高速道路上の休憩施設には必ず設定されているため、このような情報表示端末を予約端末として使用することにより設備コストを削減することが可能である。
【００１９】
予約端末１０１は、利用者が休憩施設内で一定額以上の利用をしたと判定した場合、洗車機管理サーバ１０２に自動洗車機１０３の予約状況を照会し、洗車機管理サーバ１０２から送信されてきた予約情報を画面に表示する等の手段により利用者に示す。ここで予約端末１０１が利用者の休憩施設内の利用金額を把握する方法としてはどのような方法を用いるようにしてもよいが、例えば、量販店で採用されている磁気式のいわゆるポイントカード等を使用する方法が考えられる。利用者は、休憩施設内の店舗を利用する毎に支払いの際にレジにおいてこのポイントカードを提示するようにし、各レジでは、利用金額または利用金額に応じたポイントをこのポイントカードに加算する。そして、利用金額がある一定金額を超えた場合、利用者がこのポイントカードを予約端末１０１に挿入して予約端末１０１ではこのポイントカードに記録されたデータを読み取ることにより、この利用者が休憩施設内で一定額以上の利用をしたことを把握することができる。
【００２０】
なお、洗車内容の異なる複数の洗車コースを設定することが可能な場合には、利用金額に応じて利用可能な洗車コースを下記の表１に示すように複数設定するようにしてもよい。
【００２１】
【表１】
2006155502.tif 000003
表１に示した例では、利用金額が１０００円以上の場合には２０００円未満の場合にはＥコースが利用可能であり、利用金額が２０００円以上３０００円未満の場合にはＡコースまたはＤコースが利用可能であり、利用金額が３０００円以上５０００円未満の場合にはＢコースが利用可能であり、利用金額が５０００円以上の場合にはＣコースが利用可能であることが示されている。
【００２２】
ここで、表１のＥコースとして設定されている車内換気とは、洗車の際に車輌の窓を開けてもらい、そこから新鮮な冷風や温風を送風するサービスである。例えば、夏季には車内に冷風を、冬季には温風を車内に送風することにより、乗車しているユーザを快適な気分にすることができる。また、オゾン発生装置やマイナスイオン発生装置等と組み合わせることにより、ストレスも減少され、事故の削減にもつながる。さらに、冬季は湿度の高い温風を使用することにより車内の乾燥も防げる。
【００２３】
なお、利用者の利用金額を把握する方法としては、上記のポイントカードのような磁気カードを用いた方法だけではなく、格納した情報を書き換え可能なＩＣカード等を利用した方法を用いてもよい。
【００２４】
また、ここでは、利用額の合計は当日に利用したもののみを対象とするが、利用状況によっては過去の利用額を累計して加算するようにしてもよい。
【００２５】
そして、予約端末１０１は、利用者からの利用額に応じた洗車コースの予約を受け付けると、洗車機制御サーバ１０２に対して受け付けた予約の依頼を行う。そして、予約依頼に対して発行された予約コードを自動洗車機管理サーバ１０２から受信すると、自動洗車機１０３の予約を行っていることを証明するために、受信した予約コードが格納された識別ラベルを発行する。
【００２６】
洗車機管理サーバ１０２は、自動洗車機１０３の予約管理を行っていて、予約端末１０１から予約状況の照会を受けると現在の自動洗車機１０３の予約情報を返信し、予約端末１０１からの予約依頼を受信すると、現在の予約状況を参照して依頼された予約を受け付ける否かを判定し、予約を受け付ける場合、受け付けた予約に対応する予約コードを発行して予約端末１０１に送信する。
【００２７】
表１に示したように所要時間の異なる複数の洗車コースがある場合には、洗車機管理サーバ１０２は、洗車コースのそれぞれの所要時間に応じて予約を受け付けるか否かを判定する。
【００２８】
ここで、予約コードとは、予約時間、洗車コース等を特定するために発行されたＩＤコードである。また、ここで予約端末１０１により発行される識別ラベルとは、ＩＣチップが埋め込まれたＩＣラベル、磁気情報によりデータが記録された磁気ラベル等の電波または磁力に反応して格納された予約コードを読み出し可能なラベルであればどのようなものでもよい。
【００２９】
そして、洗車機管理サーバ１０２は、発行した予約コードと予約時間および洗車コースを対応付けて表２に示すようなテーブルにして記憶しておく。
【００３０】
【表２】
2006155502.tif 000004
次に、図１に示した自動洗車機１０３の構成を図２を参照して説明する。この自動洗車機１０３は、複数の洗車工程の中を自動車が移動していく、いわゆる連続型の自動車洗車機であり、洗車機管理サーバ１０２に接続された登録情報照会端末２０が設置されている。
【００３１】
この登録情報照会端末２０は、洗車を行うとする利用車輌１０に貼り付けされた識別ラベルに格納されている予約コードを読み取り、読み取った予約コードを洗車機管理サーバ１０２に送信することにより予約コードの照会を行う。そして、登録情報照会端末２０は、洗車機管理サーバ１０２から利用を許可する旨の情報が送信されてくると、この情報と共に送られてきた洗車コースの情報に応じた洗車工程での洗車が実行されるように洗車機を制御する。
【００３２】
なお、自動洗車機１０３には、手前にゲートまたは遮断器機等を設置することにより一般車が進入できないようにする方式のものを用いる。また、ゲート部分にデータの読み取り装置を設置して、ここで利用者にこれから行う洗車内容を表示するようにしてもよい。
【００３３】
次に、本実施形態の自動洗車機管理システムの動作を図面を参照して詳細に説明する。本実施形態の自動洗車機管理システムの動作を図３のシーケンスチャートに示す。
【００３４】
先ず、予約端末１０１が、ある利用者が一定金額以上を利用したと判定すると（ステップ２０１）、現在の自動洗車機１０３の予約状況を洗車機管理サーバ１０２に照会する（ステップ２０２）。予約端末１０１からの予約状況の照会を受けた洗車機管理サーバ１０２では、現在の予約状況を示す予約情報を、予約端末１０１に送信する（ステップ２０３）。この予約情報を受信した予約端末１０１では、現在の予約状況を図４に示すような画面にて表示し、利用者の予約を受け付けると洗車機管理サーバ１０２に受け付けた予約の依頼を行う（ステップ２０４）。この予約の依頼には、洗車コース、予約時間の情報が含まれている。
【００３５】
予約端末１０１からの予約依頼を受け付けた洗車機管理サーバ１０２では、現在の予約状況から予約を受け付けるか否かの判定を行い、予約を受け付ける場合、この予約に対応した予約コードを生成して予約端末１０１に送信する（ステップ２０５）。そして、洗車機管理サーバ１０２からの予約コードを受信した予約端末１０１では、この予約コードが格納された識別ラベルを発行する（ステップ２０６）。自動洗車機１０３の予約を行った利用者は、予約端末１０１により発行された識別ラベルを洗車しようとする自動車のフロントガラス等に貼り付けておく。
【００３６】
そして、予約時間になり識別ラベルを貼り付けた自動車の洗車を行うとする利用者が、自動車を自動洗車機１０３まで運んで登録情報照会端末２０に近づくと、フロントガラスに貼り付けられた識別ラベルに格納された予約コードは登録情報照会端末２０に読み取られる。すると、登録情報照会端末２０は、この予約コードを洗車機管理サーバ１０２に送信することにより予約コードの照会を行う（ステップ２０７）。自動洗車機１０３の登録情報照会端末２０からの予約コードの照会を受け付けた洗車機管理サーバ１０２では、この予約コードが正規に予約を受け付けたものであるか否かを確認し、この予約コードにより予約された洗車コース、予約時間の情報とともに登録情報照会端末２０に対して利用許可を送信する（ステップ２０８）。
【００３７】
そして、洗車機管理サーバ１０２からの利用許可を受信した自動洗車機１０３では、送信されてきた洗車コースに応じた洗車工程で洗車を行うような制御が行われる（ステップ２０９）。
【００３８】
本実施形態の自動洗車機管理システムによれば、高速道路上の休憩施設を利用する利用者は、この休憩施設内での利用額に応じて自動洗車機１０３を無料で利用することが可能となるため、休憩施設内の店舗等における売上額の増加に貢献することになると思われる。特に積雪地帯では塩分を含む凍結防止剤が路面に散布されることが広く行われているため、スキーやスノーボード帰りにサービスエリアやパーキングエリア等の休憩施設において洗車機を利用するニーズが高い。そして、高速道路は都市部と積雪地帯との間を結ぶように設置されていて、都市部から各地のスキー場へ行くのには高速道路が広く利用されている。そのため本実施形態の自動洗車機管理システムが設置されている休憩施設での売上額の増加を期待することができる。また、夏季においては自動車に水をかけることにより炎天下を走行した自動車を冷却してエアコンの効果を向上させることも行われており、休憩施設内の利用額に応じて無料で洗車を行うことができるようにすることにより利用者の施設利用が促進されるものと思われる。
【００３９】
なお、本実施形態では、予約端末１０１は、洗車機管理サーバ１０２により発行された予約コードが格納された識別ラベルを発行し、自動洗車機１０３ではこの識別ラベルに格納された予約コードを読み取ることにより当該自動車の洗車を許可するかどうかの判定を行っていた。しかし、この予約コードを格納するための記録媒体は識別ラベルに限定されるものではなく、予約コードを格納することが可能な全ての記録媒体を使用することが可能である。そして、自動洗車機１０３内の登録情報照会端末２０では、洗車を行うとする利用車輌に保持された記録媒体に格納されている予約コード読み取ることが可能な機能を備えるようにすればよい。
【００４０】
例えば、予約コードが格納された専用の無線端末を予約端末１０１において貸し出し、利用者には例えば自動車のダッシュボード上に置くようにしてもらい、自動洗車機１０３の登録情報照会端末２０では、この無線端末から送信される電波に含まれる予約コードを受信するようにしてもよい。また、テレビ受信機等のリモコンのように赤外線を送信するような機器を用いることも可能である。そして、このような機器は、洗車終了後に回収ボックス等により回収するようにすればよい。
【００４１】
また、予約端末１０１において、洗車機管理サーバ１０２により発行された予約コードをデータとして格納するのではなく、予約コードをバーコードや、２次元コードであるＱＲコード等により印刷するようにし、自動洗車機１０３では、印刷されたバーコード等を読み取るようにしてもよい。
【００４２】
さらに、予約コードを格納するための記録媒体を使用することなく、予約端末１０１では、予約コードを暗証番号として発行し、利用者がこの発行された暗証番号を自動洗車機１０３の登録情報端末２０において入力することにより洗車利用を許可するようにしてもよい。
【００４３】
このようにすると、利用者は発行された予約コードを暗証番号として記憶または記録しておく必要があるが、予約コードを格納しておくための記録媒体を使用することなく自動洗車機１０３の使用が可能となり、洗車後に識別ラベルをはがしたり、無線機器を返却する等の手間を省くことが可能となる。
【００４４】
なお、本実施形態では、自動洗車機１０３が連続型の場合を用いて説明したが、本発明はこれに限定されるものではなく、門型の自動洗車機を用いた場合でも同様に本発明を適用することができるものである。門型の自動洗車機は、連続型の自動洗車機に比べてあまり複雑な洗車方法の設定が難しいが、門型の自動洗車機を用いることにより狭い場所での洗車が可能となる。
【００４５】
（第２の実施形態）
次に、本発明の第２の実施形態の自動洗車機管理システムについて説明する。
【００４６】
上記で説明した第１の実施形態の自動洗車機管理システムは、高速道路上の１つの休憩施設内に予約端末および自動洗車機が設置された場合であったが、本発明の第２の実施形態の自動洗車機管理システムは、複数の休憩施設内にそれぞれ予約端末および自動洗車機が設置されどの予約端末からも他の休憩施設内に設置された自動洗車機の予約を可能としたものである。
【００４７】
本実施形態の自動洗車機管理システムは、図５に示されるように、複数の予約端末１０１1〜１０１nと、複数の自動洗車機１０３1〜１０nと、洗車機管理サーバ１０２とから構成されている。本実施形態では、ｎ個の休憩施設上にそれぞれ予約端末、自動洗車機がそれぞれ１台ずつ設置された場合を用いて説明する。そして、予約端末１０１1〜１０１nのうちのいずれからも、自動洗車機１０３1〜１０３nの予約を行うことが可能となっている。
【００４８】
予約端末１０１1〜１０１nにより自動洗車機１０３1〜１０３nの予約を行う方法、自動洗車機１０３1〜１０３nが利用車輌の確認を行う方法等については、図３を用いて説明した第１の実施形態の自動洗車機管理システムにおける方法と同様であるためその説明は省略する。
【００４９】
本実施形態において予約端末１０１1〜１０１nにおいて表示される予約画面の一例を図６に示す。図６に示されるように、利用者は現在停車中の休憩施設以外の自動洗車機の予約が可能である。例えば、利用者が現在東名高速自動車道の海老名ＳＡ内の予約端末を操作している場合でも、足柄ＳＡ内に設置されている自動洗車機の予約を行うことが可能となる。
【００５０】
そのため、例えば、現在停車中の海老名ＳＡでは希望時間の予約ができないような場合でも、次に停車予定の足柄ＳＡの自動洗車機の予約をしておくことで、足柄ＳＡに到着後に少ない待ち時間で自動洗車機を利用することが可能となる。
【図面の簡単な説明】
【００５１】
【図１】本発明の第１の実施形態の自動洗車機管理システムの構成を示すブロック図である。
【図２】図１の自動洗車機１０３の構成を説明するための図である。
【図３】図１の自動洗車機管理システムの動作を示すフローチャートである。
【図４】図１の予約端末１０１に表示される画面例を示す図である。
【図５】本発明の第２の実施形態の自動洗車機管理システムの構成を示すブロック図である。
【図６】図５の予約端末１０１1〜１０１nに表示される画面例を示す図である。
【符号の説明】
【００５２】
１０    利用車輌
２０    登録情報照会端末
１０１、１０１1〜１０１n    予約端末
１０２    洗車機管理サーバ
１０３、１０３1〜１０３n    自動洗車機
２０１〜２０９    ステップ
【図１】
2006155502.tif 000005
【図２】
2006155502.tif 000006
【図３】
2006155502.tif 000007
【図４】
2006155502.tif 000008
【図５】
2006155502.tif 000009
【図６】
2006155502.tif 000010